(57)【要約】【課題】全ての人に適合するように使用中にその立体的形状が形成されていくクッション、即ち全ての人に対し長時間使用時に体調を崩すことなく、疲労度も軽減且つ身体のバランスを快適に保つような形状が形成されていくクッションを提供する。【解決手段】周辺部を縫合して重ね合わせてある下面化粧布地１、内部布地２および上面化粧布地３と、前記重ね合わせてある下面化粧布地１、内部布地２および上面化粧布地３の内、下面化粧布地１および内部布地２のほぼ中央部に、一定の間隔をあけてキルティング開放部７がお互いに向かい合う方向に配置されて行われている、二つの概略馬蹄形を横方向に引き延ばした形状のキルティング６と、前記重ね合わせてある下面化粧布地１と内部布地２の周辺部とキルティング６間に封入された発泡ビーズ４と、前記上面化粧布地３と内部布地２間に挿入された固綿５と、を具備する。【選択図】        図１
2004313458.tif 000002
【特許請求の範囲】
【請求項１】
臀部の下に敷いて使用するクッションにおいて、
周辺部を縫合して重ね合わせてある下面化粧布地、内部布地および上面化粧布地と、
前記重ね合わせてある下面化粧布地、内部布地および上面化粧布地の内、下面化粧布地および内部布地のほぼ中央部に、一定の間隔をあけてキルティング開放部がお互いに向かい合う方向に配置されて行われている、二つの概略馬蹄形を横方向に引き延ばした形状のキルティングと、
前記重ね合わせてある下面化粧布地と内部布地の周辺部とキルティング間に封入された発泡ビーズと、
前記上面化粧布地と内部布地間に挿入された固綿と、
を具備することを特徴とする加圧変動型クッション。
【請求項２】
臀部の下に敷いて使用するクッションにおいて、
周辺部を縫合して重ね合わせてある下面化粧布地および内部布地と、
前記重ね合わせてある下面化粧布地および内部布地のほぼ中央部に、一定の間隔をあけてキルティング開放部がお互いに向き合う方向に配置されて行われている、二つの概略馬蹄形を横方向に引き伸ばした形状のキルティングと、
前記重ね合わせてある下面化粧布地と内部布地の周辺部とキルティング間に封入された発泡ビーズと、
を具備することを特徴とする加圧変動型クッション。
【請求項３】
クッションの向きを確認するための目安となる表示があることを特徴とする請求項１または請求項２に記載の加圧変動型クッション。
【請求項４】
載置面に固定する手段を備えていることを特徴とする請求項１または請求項２に記載の加圧変動型クッション。
【請求項５】
前記重ね合わせてある下面化粧布地と内部布地の周辺部の縫合の内、前記発泡ビーズ注入後の口閉じ縫合が、お互いに向かい合う方向に配置されて行われている、前記二つの概略馬蹄形を横方向に引き延ばした形状のキルティング開放部の線方向と直角方向に位置する周辺部で行われていることを特徴とする請求項１または請求項２に記載の加圧変動型クッション。
【請求項６】
前記発泡ビーズは、発泡スチレン樹脂であることを特徴とする請求項１または請求項２に記載の加圧変動型クッション。
【請求項７】
前記固綿は、木綿綿、ポリエステル綿、ウレタンフォームまたはこれらの積層体であることを特徴とする請求項１に記載の加圧変動型クッション。
【発明の詳細な説明】
【０００１】
【発明の属する技術分野】
本発明は、座した時に臀部の下に敷いて用いて、座り心地を長時間良好に保つのに役立つクッションに関する。
【０００２】
【従来の技術】
従来のクッションは、クッションの素材、形状などに工夫をこらしているが、いずれもその構造は、一般に平面的な構造になっている。そのため、かかる平面的構造のクッションを臀部の下に敷いて利用したときには、人体は立体構造を成しているので、局部的に圧力が集中してかかることになり、長時間使用すると痛み、疲れ、しびれなどが高まり易いという問題がある。
【０００３】
このような平面的構造のクッションの問題点を解消して、座り心地性や着座安定性等の向上を図るべく、予め略臀部に沿う形状に湾曲して成形されたクッションも数多く提案されている（例えば、特許文献１〜４参照）
【０００４】
【特許文献１】
特願平３−２２９０４９号公報（特許請求の範囲等）
【特許文献２】
特願平８−３５９２７９号公報（特許請求の範囲等）
【特許文献３】
特願平９−２２４６０６号公報（特許請求の範囲等）
【特許文献４】
特願平１１−２０００５７号公報（特許請求の範囲等）
【０００５】
【発明が解決しようとする課題】
従来の平面的構造のクッションでは、立体構造を成している人体に長時間使用すると体調を崩しやすく、疲労度も蓄積し、且つ身体のバランスを快適に保つことは困難である。また、このような平面的構造のクッションの問題点を解消するために提案された種々のクッションも、全ての人の臀部の形状に適合させることは不可能であり、よって、必ずしも十分に平面的構造のクッションの問題点を解消し得るものではなかった。
【０００６】
そこで、本発明の目的は、全ての人に適合するように使用中にその立体的形状が形成されていくクッション、即ち全ての人に対し長時間使用時に体調を崩すことなく、疲労度も軽減且つ身体のバランスを快適に保つような形状が形成されていくクッションを提供することにある。
【０００７】
【課題を解決するための手段】
上記課題を解決するために、本発明のクッションは、臀部の下に敷いて使用するクッションにおいて、
周辺部を縫合して重ね合わせてある下面化粧布地、内部布地および上面化粧布地と、
前記重ね合わせてある下面化粧布地、内部布地および上面化粧布地の内、下面化粧布地および内部布地のほぼ中央部に、一定の間隔をあけてキルティング開放部がお互いに向かい合う方向に配置されて行われている、二つの概略馬蹄形を横方向に引き延ばした形状のキルティングと、
前記重ね合わせてある下面化粧布地と内部布地の周辺部とキルティング間に封入された発泡ビーズと、
前記上面化粧布地と内部布地間に挿入された固綿と、
を具備することを特徴とする加圧変動型クッションである。
【０００８】
また、本発明の他のクッションは、臀部の下に敷いて使用するクッションにおいて、
周辺部を縫合して重ね合わせてある下面化粧布地および内部布地と、
前記重ね合わせてある下面化粧布地および内部布地のほぼ中央部に、一定の間隔をあけてキルティング開放部がお互いに向き合う方向に配置されて行われている、二つの概略馬蹄形を横方向に引き伸ばした形状のキルティングと、
前記重ね合わせてある下面化粧布地と内部布地の周辺部とキルティング間に封入された発泡ビーズと、
を具備することを特徴とする加圧変動型クッションである。
【０００９】
本発明の加圧変動型クッションにおいては、利用を重ねるに従って、発泡ビーズが、利用する人の臀部の立体構造に合わせて、全体のほぼ中央部にある二つの概略馬蹄形を横方向に引き延ばした形状のキルティング間およびそれぞれの内部に移動して行き、使用する人専用の構造に変化していくことにより、フィット感に優れ、長時間使用した時の痛み、疲れやしびれを和らげる効果が得られる。
【００１０】
【発明の実施の形態】
本発明の実施の形態の一例を、図１および図２を参照して説明する。
図１は、本発明の加圧変動型クッションを説明する図であり、図１（ａ）はその平面図、図１（ｂ）はその正面図、図１（ｃ）は裏面図の平面図、図１（ｄ）は図１（ｃ）のＸ−Ｘ線断面図である。また、図２（ａ）は、本発明の加圧変動型クッションの上面からの斜視図、図２（ｂ）は下面からの一部切欠き斜視図である。
【００１１】
図１（ｄ）に示している、下面化粧布地１と内部布地２を重ね合わせた状態で、図１（ｃ）に示しているように、下面化粧布地１のほぼ中央部に、二つの概略馬蹄形を横方向に引き延ばした形状のキルティング６を、一定の間隔をあけて、キルティング開放部７がお互いに向き合う方向に配置して行ってある。
【００１２】
キルティング開放部７の長さは、キルティング６全長に対し、好ましくは１２．５％から２５％である。このキルティング開放部７の長さが、長すぎても、また短すぎても本発明の効果が減じてしまうか、得られなくなる。
【００１３】
キルティング開放部７がお互いに向かい合う方向に配置してある二つのキルティング６の間隔は、好ましくは１から５ｃｍである。この間隔は、大きすぎても、また小さすぎても本発明の効果が減じてしまうか、得られなくなる。
【００１４】
また、図１（ｄ）に示している上面化粧布地３は、キルティング開放部７がお互いに向かい合う方向に配置して二つのキルティング６を行った下面化粧布地１と内部布地２に、内部布地２側に重ねて、周辺四方向の内、キルティング開放部７と直角方向の二辺の内の一辺の一部を残して、周辺部を縫合してある。この縫合した一部が図１（ｂ）の縫合部９である。
【００１５】
ここで周辺四方向の内、キルティング開放部７と直角方向の二辺とは、図１（ｃ）の矢印Ａ方向または矢印Ｂ方向を意味し、この図示例では、周辺の一部を縫合しなかった一辺は矢印Ａ方向で説明している。
【００１６】
更に、周辺の縫合しなかった部分には、ファスナー８が取付けられている。ファスナー８は、当初はファスナー８の片側は、上面化粧布地３に合わせて縫合し、もう一方の側は、下面化粧布地１と内部布地２に合わせて、ファスナーの両側からファスナーの中央部に向けてファスナーの中心部を残して縫合されている（図示せず）。
【００１７】
次に縫合していないファスナー中央部の、下面化粧布地１と内部布地２間に、図１（ｃ）矢印Ａから見てそれぞれ右方向、左方向に発泡ビーズ４を注入して、周辺部の四辺とキルティング６間に封入した後、縫合していないファスナー中央部の、下面化粧布地１と内部布地２とファスナー８を合わせて縫合し、下面化粧布地１と内部布地２間に封入した発泡ビーズ４が漏れ出さないように口閉じ処理を行っている（図示せず）。
【００１８】
発泡ビーズ４の粒径は、３〜５ｍｍが最も効果的で、粒径が１ｍｍ未満または粒径が１０ｍｍを超えると本発明の効果が減じてしまうか、得られなくなる。
【００１９】
発泡ビーズ４としては、好ましくは発泡スチレン樹脂が挙げられるが、弾力性があり、同じような粒径を持つものであれば他のものでも代替できる。
【００２０】
次に上面化粧布地３と内部布地２間に、ファスナー８の開いたチャック部分から固綿５を挿入して、ファスナー８のチャックを閉じて完成させてある。
【００２１】
固綿５としては、木綿綿、ポリエステル綿、ウレタンフォームまたはこれらの積層体等を好適に用いることができる。
【００２２】
なお、ここでの図示例では、ファスナー８を用いて説明を行っているが、ファスナー８を用いることなく、下面化粧布地１と内部布地２間に封入した発泡ビーズ４が漏れ出さないように行う口閉じ処理および上面化粧布地３と内部布地２間に固綿５を挿入した後の口閉じ処理を縫合処理によって行っても良い。
【００２３】
更にまた、これまでの実施例では、素材として下面化粧布地１、内部布地２、上面化粧布地３、発泡ビーズ４および固綿５を用いて説明しているが、上面化粧布地３および固綿５を省いた構造でも同じ効果が得られる。
【００２４】
即ち、下面化粧布地１と内部布地２を重ね合わせた状態で、下面化粧布地１のほぼ中央部に、二つの概略馬蹄形を横方向に引き延ばした形状のキルティング６を、一定の間隔をあけて、キルティング開放部７がお互いに向き合う方向に配置して行い、周辺四方向の内キルティング開放部７の線方向の直角方向の二辺の内の一辺の一部を残して周辺部を縫合し、次に縫合していない周辺部から、下面化粧布地１と内部布地２の周辺とキルティング６間に発泡ビーズ４を封入した後、封入した発泡ビーズ４が漏れ出さないように口閉じ縫合を行って完成となる。
【００２５】
次に、本発明による加圧変動型クッションは、利用する人の臀部の立体構造に合わせて、利用を重ねるに従って発泡ビーズ４が移動して、利用する人専用の構造に変化していくことにより本発明の効果が得られるが、その様子を説明する。
【００２６】
図１（ｃ）における矢印Ａまたは矢印Ｂ方向の側面を前にして、臀部の下に敷いて利用すると、下面化粧布地１と内部布地２間の周辺に封入されている発泡ビーズ４が、臀部から圧力により、全体のほぼ中心部にある二つの概略馬蹄形を横方向に引き延ばした形状のキルティング６の間に、矢印ＡからＢの方向および矢印ＢからＡの方向へと向かって移動して行く。更に発泡ビーズ４は、利用している人の臀部の立体構造に従って、二つのキルティング開放部７からそれぞれの概略馬蹄形を横方向に引き延ばした形状のキルティング６の内部に移動して行く。
【００２７】
ここで利用した人の臀部の形状に従って移動した発泡ビーズ４は、加圧変動型クッションの使用をやめても、通常の取り扱いでは元に戻ることは殆どない。従って、繰り返し使用することにより、使用する人の臀部の立体構造に適合するように発泡ビーズが移動して行き、使用する人専用の加圧変動型クッションが出来上がっていく。
【００２８】
また本発明による加圧変動型クッションの座面は、通常上面化粧布地３面を利用すると臀部と発泡ビーズ４間に固綿５が入り、より快適な座り心地が得られるが、下面化粧布地１面を利用しても本発明による加圧変動型クッションの効果は同じように得られるので、上面化粧布地３面または下面化粧布地１面のいずれを用いても良く、利用したときの感触など好みに応じて用いることができる。但し一度いずれの面を利用するか決めたら、本発明による加圧変動型クッションの効果を得るためには、その後は常に同じ面を用いる必要がある。
【００２９】
また、本発明による加圧変動型クッションは、利用する人の臀部の立体構造に合わせて、利用を重ねるに従って発泡ビーズ４が移動して、利用する人専用の構造に変化していくことにより本発明の効果が得られるので、他の人と共用した場合は、人により臀部の立体構造は微妙に異なるため本発明の効果が減じてしまうか得られなくなる。また一個人の専用として用いる場合でも、臀部の下に敷いて利用するとき常に同じ方向を前にして用いる必要がある。
【００３０】
図１（ａ）、図１（ｂ）および図１（ｃ）に、臀部の下に敷いて利用する場合、四辺の内、前方向にすべき一辺を示すために取付けられている前表示小片１０が図示されている。図示例では、前表示小片１０が、図１（ｃ）の矢印Ａ側に付いているが、図１（ｃ）の矢印Ｂ側を前にして、臀部の下に敷いて利用しても、本発明による効果が同じように得られるので、前表示小片１０は、図１（ｃ）の矢印Ｂ側側面に取り付けても良い。
【００３１】
図１（ｃ）の矢印Ａおよび矢印Ｂ方向以外の側面を前面にして利用した場合は、本発明による効果は減じてしまうか得られなくなる。
【００３２】
また、常に同じ方向を前にして使用するために、載置面に固定しておくのも良い。そのために載置面に固定するための紐またはボタンなどの固定手段を付けておくと良い（図示せず）。
【００３３】
また、本発明による加圧変動型クッションを繰り返し使用して、ある人専用の加圧変動型クッションが出来上がった後、他の人に転用する場合は、使用したことにより加圧変動型クッションのほぼ中央部にある二つの概略馬蹄形を横方向に引き延ばした形状のキルティング６間およびキルティング６それぞれの内部に移動した発泡ビーズ４を、強制的に押し戻して初期状態と同じにすればよい。なお移動した発泡ビーズを強制的に押し戻すときは、ファスナー８を用いた構造であれば、ファスナー８のチャックを開封し、内部の固綿５を取り出してから行うと作業がやり易い。
【００３４】
【発明の効果】
本発明の加圧変動型クッションによれば、使用を重ねると、使用する人の臀部の立体構造に合わせて、クッション周辺部の発泡ビーズが移動して、臀部の局面全体を支えるように形成されていくので、局部的な圧迫感が無く、フィット感に優れ、長時間使用した時の痛み、疲れしびれなどを和らげる効果が得られる。
【００３５】
また、使用を繰り返して、ある人専用の加圧変動型クッションが出来上がった後でも、使用したことにより移動した発泡ビーズを、強制的に押し戻して初期状態と同じにすれば、他の人に転用することができる。
【図面の簡単な説明】
【図１】（ａ）は本発明の加圧変動型クッションを説明する平面図、（ｂ）はその正面図、（ｃ）は裏面の平面図、（ｄ）は図１（ｃ）のＸ−Ｘ線断面図である。
【図２】（ａ）は本発明の加圧変動型クッションの上面からの斜視図、（ｂ）はその下面からの一部切欠き斜視図である。
【符号の説明】
１  下面化粧布地
２  内部布地
３  上面化粧布地
４  発泡ビーズ
５  固綿
６  キルティング
７  キルティング開放部
８  ファスナー
９  縫合部
１０  前表示小片
【図１】
2004313458.tif 000003
【図２】
2004313458.tif 000004